(57)【要約】【課題】境目盛が付されたメジャーにおいて、その計測精度を向上させることのできる手段を提供すること。【解決手段】表面に２種の色２ａ、２ｂで境目盛２が付されたテープ状のメジャー本体１に、透明なカーソル体５をメジャー本体１の長手方向に沿ってスライド可能に装着する。カーソル体には、メジャー本体１の境目盛２よりも目盛単位の小さな線目盛６をメジャー本体１の境目盛２と重なり合う位置に付す。この線目盛６はメジャー本体１の境目盛２の目盛単位毎に境目盛の２種の色で交互に色分けする。【選択図】図１
0003128188.tif 000002
【実用新案登録請求の範囲】
【請求項１】
表面に２種の色で境目盛が付されたテープ状のメジャー本体と、メジャー本体の長手方向に沿ってスライド可能に装着された透明なカーソル体とを備え、
カーソル体には、メジャー本体の境目盛よりも目盛単位の小さな線目盛がメジャー本体の境目盛と重なり合う位置に付されており、
この線目盛がメジャー本体の境目盛の目盛単位毎に境目盛の２種の色で交互に色分けされているメジャー。
【請求項２】
カーソル体の線目盛の下端位置が、メジャー本体の境目盛の下端位置よりも上にある請求項１に記載のメジャー。
【考案の詳細な説明】
【技術分野】
【０００１】
本考案は、例えば魚釣り競技会等で釣った魚の大きさを写真で記録する際に使用するメジャーに関する。
【背景技術】
【０００２】
従来より、魚の大きさを計測するには目盛付きのメジャーが使用されており、例えば特許文献１には、目盛単位５ｍｍの線目盛が付されたメジャーが開示されている。
【０００３】
しかし、このように線目盛が付されたメジャーを使用して写真で記録しようとすると、その線目盛が写真には写らず、写真記録用には適さない。
【０００４】
したがって、写真記録用には境目盛が付されたメジャーを使用する必要があるが、写真写りを考慮すると、その目盛単位は小さくしようとしても５ｍｍが限界である。そうなると、境目盛が付されたメジャーでは５ｍｍ単位でしか魚の大きさを計測できない。とくに魚釣り競技会では１ｍｍ単位といった高精度での計測が求められおり、その計測精度の向上が求められている。
【０００５】
すなわち、写真記録用に使用することを前提にすれば、その目盛は境目盛とする必要があり、この境目盛が付されたメジャーにおいて計測精度を向上させることのできる手段が求められている。
【特許文献１】実用新案登録第３０７８１９８号公報
【考案の開示】
【考案が解決しようとする課題】
【０００６】
本考案が解決しようとする課題は、境目盛が付されたメジャーにおいて、その計測精度を向上させることのできる手段を提供することにある。
【課題を解決するための手段】
【０００７】
本考案のメジャーは、表面に２種の色（通常は黒と白）で境目盛が付されたテープ状のメジャー本体と、メジャー本体の長手方向に沿ってスライド可能に装着された透明なカーソル体とを備え、カーソル体には、メジャー本体の境目盛よりも目盛単位の小さな線目盛がメジャー本体の境目盛と重なり合う位置に付されており、この線目盛がメジャー本体の境目盛の目盛単位毎に境目盛の２種の色で交互に色分けされていることを特徴とするものである。
【０００８】
このように本考案のメジャーの主体は、境目盛が付されたテープ状のメジャー本体であるので、写真記録用には問題なく使用できる。そして、このメジャー本体に、その境目盛よりも目盛単位の小さな線目盛がメジャー本体の境目盛と重なり合う位置に付された透明なカーソル体をスライド可能に装着することで、その計測精度を向上させることができる。
【０００９】
また、境目盛においては、その目盛単位毎に２種の色の領域（通常は黒の領域と白の領域）が交互に配列されているので、カーソル体に付す線目盛は、これを境目盛に重ね合わせたときに見やすいように、境目盛の目盛単位毎に境目盛の２種の色で交互に色分けしている。すなわち、境目盛の２種の色が黒と白の例で説明すると、境目盛の黒の領域に白の線目盛を合わせ、境目盛の白の領域に黒の線目盛を合わせることで、線目盛が見やすくなり、容易に長さを計測することができる。
【００１０】
本考案のメジャーにおいては、カーソル体の線目盛の下端位置は、メジャー本体の境目盛の下端位置よりも上に位置させることが好ましい。このような構成とすることで、写真記録の際に境目盛が確実に写るとともに、線目盛も見やすくなる。
【考案の効果】
【００１１】
本考案によれば、境目盛が付されたメジャーの計測精度を向上させることができるので、写真記録用に使用できるとともに計測対象物の長さをより正確に把握できる。
【考案を実施するための最良の形態】
【００１２】
以下、図面に示す実施例に基づき本考案の実施の形態を説明する。
【００１３】
本考案のメジャーは、メジャー本体とこのメジャー本体にスライド可能に装着されたカーソル体とを備える。そのうち、図１はメジャー本体を示し、図２はカーソル体を示す。
【００１４】
本実施例で示すメジャーは魚の大きさを写真で記録する際に使用する全長１ｍのメジャーであり、そのメジャー本体１は、アクリル、ＰＥ、ＰＶＣ等の合成樹脂製のテープ状材からなる。そして、メジャー本体１の表面には図１に示すように、目盛単位が５ｍｍの境目盛２が付されている。すなわち、この境目盛２は、幅５ｍｍの黒領域２ａと幅５ｍｍの白領域２ｂが交互に配列されて構成されている。また、メジャー本体１の表面には１０ｃｍ間隔で数字が印刷されており、写真記録時に魚の大きさが一目でわかるようにしている。
【００１５】
また、メジャー本体１の基端には、魚の頭部先端を位置決めするための位置決め部材３が装着されている。この位置決め部材３はヒンジ４によってメジャー本体１の基端に回動可能に装着されており、使用時には図１（ｂ）に示すように起立させ、それ以外は図１（ｂ）に矢印で示す方向に回動させて折り畳み、運搬、保管時等に邪魔にならないようにする。
【００１６】
一方、メジャー本体１に装着されるカーソル体５はアクリル等の透明な材料からなり、その表面には図２に示すように、全長が５ｃｍで目盛単位が１ｍｍの線目盛６が付されている。この線目盛６は、上述した境目盛２の目盛単位毎、すなわち５ｍｍ毎に白（図２（ａ）の６ａ部分）と黒（図２（ａ）の６ｂ部分）で交互に色分けされている。また、線目盛６の両端の目盛は、後述する境目盛２との位置決めを容易にするため長く形成されている。
【００１７】
また、カーソル体５の上端及び下端は、図２（ｂ）に示すように折り曲げられており、これによって上述したテープ状のメジャー本体１の両側部を挿入する挿入部７が形成されている。この挿入部７にメジャー本体１の両側部を挿入することで、カーソル体５がメジャー本体１の長手方向に沿ってスライド可能に装着され、本考案のメジャーが構成される。
【００１８】
図３は、本考案のメジャーの要部を示す平面図である。
【００１９】
図３において、カーソル体５はメジャー本体１の長手方向（図３の矢印方向）に沿ってスライド可能に装着されている。また、カーソル体５の線目盛６は、メジャー本体１の境目盛２と重なり合う位置に付されている。
【００２０】
上述のとおり、メジャー本体１に付された境目盛６の目盛単位は５ｍｍであるので、この境目盛によっては魚の大きさを５ｍｍ単位でしか計測することができない。これに対して、本考案では、メジャー本体１の境目盛２よりも目盛単位の小さな線目盛６（本実施例では目盛単位は１ｍｍ）を付したカーソル体５をメジャー本体１の長手方向に沿ってスライド可能に装着し、図３に示すように位置決めすることで高精度（本実施例では１ｍｍ単位）の計測が可能となる。
【００２１】
すなわち、カーソル体５に付された線目盛６を、その白領域６ａがメジャー本体１に付された境目盛２の黒領域２ａに、線目盛６の黒領域６ｂが境目盛２の白領域２ｂに合うように位置決めする。このように位置決めすることで、図３に示すように、線目盛６の白領域６ａが境目盛２の黒領域２ａの上に、線目盛６の黒領域６ｂが境目盛２の白領域２ｂの上に位置するので、線目盛６を視認できるようになる。これによって、線目盛６を利用して１ｍｍ単位での計測が可能となる。
【００２２】
カーソル体５の線目盛６をメジャー本体１の境目盛２に位置決めする際は、線目盛６の両端の目盛が長く形成されているので、これを境目盛２に合わせることで容易に位置決めできる。
【００２３】
また、本実施例では、図３に示すように、カーソル体５の線目盛６の下端位置が、メジャー本体１の境目盛２の下端位置よりも上に位置するようにしている。このような構成とすることで、境目盛２の下端部が完全に見えるようになり、写真記録の際に境目盛２が確実に写る。また境目盛２と線目盛６との区別も付きやすくなり、線目盛６も見やすくなる。
【産業上の利用可能性】
【００２４】
本考案は魚の大きさを写真記録する際のメジャーとして利用できるほか、土木・建築等の工事現場や災害現場等において各種構造物の大きさを写真記録する際のメジャーとしても利用できる。
【図面の簡単な説明】
【００２５】
【図１】本考案のメジャーのメジャー本体を示し、（ａ）は平面図、（ｂ）は側面図である。
【図２】本考案のメジャーのカーソル体を示し、（ａ）は平面図、（ｂ）は正面図である。
【図３】本考案のメジャーの要部を示す平面図である。
【符号の説明】
【００２６】
１  メジャー本体
２  境目盛
２ａ  黒領域
２ｂ  白領域
３  位置決め部材
４  ヒンジ
５  カーソル体
６  線目盛
６ａ  白領域
６ｂ  黒領域
７  挿入部
【図１】
0003128188.tif 000003
【図２】
0003128188.tif 000004
【図３】
0003128188.tif 000005